(57)【要約】  ネットワーク内の少なくともいくつかの搬送波に関する候補ニューメロロジーの重複セットを定義することによって、動的な搬送波設定に関連付けられた実装の複雑さを低減することが可能である。共通のニューメロロジーは、２つの異なる搬送波に予め関連付けられた候補ニューメロロジーのセットに含まれる。これは、対応するユーザ装置（ｕｓｅｒ  ｅｑｕｉｐｍｅｎｔ、ＵＥ）及び基地局によってサポートされる必要があるニューメロロジーの数を減らし、それは、言い換えると、例えば、あまり複雑ではないハードウェア、プロトコルスタック、及びソフトウェア、より低い記憶装置及び処理の要件など、これらのデバイスの複雑さを低減する。共通のニューメロロジーは、両方の搬送波に関して、物理層パラメータの共通のサブセットを指定する。一例では、共通のニューメロロジーは、両方の搬送波に関して、同じ副搬送波周波数間隔及びシンボル期間を指定する。共通のニューメロロジーは、両方の搬送波を介して通信されるシンボルに関して、同じサイクリックプレフィックス（Ｃｙｃｌｉｃ  Ｐｒｅｆｉｘ、ＣＰ）長を更に指定することができる。
2019501558.tif 000002
【特許請求の範囲】
【請求項１】
無線通信のための方法であって、当該方法が、ネットワークデバイスによって、第１の搬送波に予め関連付けられたニューメロロジーの第１セットからニューメロロジーを選択し、第２の搬送波に予め関連付けされたニューメロロジーの第２セットからニューメロロジーを選択するステップであって、前記ニューメロロジーの第１セット及び前記ニューメロロジーの第２セットの両方における前記ニューメロロジーのうちの少なくとも１つが、前記第１の搬送波及び前記第２の搬送波を介して通信するための物理層パラメータの共通のサブセットを含む、ステップと、
前記ニューメロロジーの第１セットからの前記の選択されたニューメロロジーに従って前記第１の搬送波を介して第１の信号を通信し、前記ニューメロロジーの第２セットからの前記の選択されたニューメロロジーに従って前記第２の搬送波を介して第２の信号を通信するステップとを含む、方法。
【請求項２】
前記第１の信号及び前記第２の信号が、前記時間領域において重複する、請求項１に記載の方法。
【請求項３】
１つ又は複数のユーザ装置（ＵＥ）に少なくとも１つの命令を送信するステップであって、前記少なくとも１つの命令が、前記１つ又は複数のＵＥに、前記ニューメロロジーの第１セットからの前記の選択されたニューメロロジーに従って前記第１の搬送波を介して前記第１の信号を送信若しくは受信するとともに、前記ニューメロロジーの第２セットからの前記の選択されたニューメロロジーに従って前記第２の搬送波を介して前記第２の信号を送信若しくは受信するように指示する、ステップを更に含む、請求項１から請求項２のいずれかに記載の方法。
【請求項４】
１つ又は複数のネットワークデバイスに前記少なくとも１つの命令を送信するステップが、
第１のネットワークデバイスに第１の命令を、前記ニューメロロジーの第１セットからの前記の選択されたニューメロロジーに従って前記第１の搬送波を介して前記第１の信号を送信若しくは受信するように前記第１のネットワークデバイスに指示するために送信するステップと、
第２のネットワークデバイスに第２の命令を、前記ニューメロロジーの第２セットからの前記の選択されたニューメロロジーに従って前記第２の搬送波を介して前記第２の信号を送信若しくは受信するように前記第２のネットワークデバイスに指示するために送信するステップであって、前記第２の命令が前記第１の命令とは異なる、ステップとを含む、請求項３に記載の方法。
【請求項５】
１つ又は複数のネットワークデバイスに前記少なくとも１つの命令を送信するステップが、
ネットワークデバイスに単一の命令を送信するステップであって、前記単一の命令が、前記ネットワークデバイスに、前記ニューメロロジーの第１セットからの前記の選択されたニューメロロジーに従って前記第１の搬送波を介して前記第１の信号を送信若しくは受信するとともに、前記ニューメロロジーの第２セットからの前記の選択されたニューメロロジーに従って前記第２の搬送波を介して前記第２の信号を送信若しくは受信するように指示する、ステップを含む、請求項３に記載の方法。
【請求項６】
前記１つ又は複数のネットワークデバイスが、１つ又は複数のユーザ装置（ＵＥ）を含む、請求項３から請求項５のいずれかに記載の方法。
【請求項７】
前記１つ又は複数のネットワークデバイスが、１つ又は複数の基地局を含む、請求項３から請求項５のいずれかに記載の方法。
【請求項８】
前記共通のニューメロロジーが、前記第１の搬送波及び前記第２の搬送波の両方における副搬送波間の共通の副搬送波周波数間隔と、前記第１の搬送波及び前記第２の搬送波の両方におけるシンボルに関する共通のシンボル期間とを指定する、請求項１から請求項７のいずれかに記載の方法。
【請求項９】
前記共通のニューメロロジーが、前記第１の搬送波及び前記第２の搬送波の両方におけるシンボルに関する共通のサイクリックプレフィックス（ＣＰ）長を更に指定する、請求項８に記載の方法。
【請求項１０】
前記共通のニューメロロジーが、前記第１の搬送波及び前記第２の搬送波の両方に関する共通の送信時間間隔（ＴＴＩ）を更に指定する、請求項８に記載の方法。
【請求項１１】
前記共通のニューメロロジーが、前記第１の搬送波及び前記第２の搬送波を介して通信するための送信時間間隔（ＴＴＩ）を指定しない、請求項８に記載の方法。
【請求項１２】
前記第１の搬送波が、前記第２の搬送波とは異なる中心周波数を有する、請求項１から請求項１１のいずれかに記載の方法。
【請求項１３】
前記ニューメロロジーの第１セットから前記ニューメロロジーを選択し、前記ニューメロロジーの第２セットから前記ニューメロロジーを選択するステップが、
前記第１の搬送波を介してデータを送信若しくは受信するようにスケジュールされた第１のＵＥ又は第１グループのＵＥに関連付けられた移動速度に基づいて、前記ニューメロロジーの第１セットから前記ニューメロロジーを選択するステップと、
前記第２の搬送波を介してデータを送信若しくは受信するようにスケジュールされた第２のＵＥ又は第２グループのＵＥに関連付けられた移動速度に基づいて、前記ニューメロロジーの第２セットから前記ニューメロロジーを選択するステップとを含む、請求項１から請求項１２のいずれかに記載の方法。
【請求項１４】
前記ニューメロロジーの第１セットから前記ニューメロロジーを選択し、前記ニューメロロジーの第２セットから前記ニューメロロジーを選択するステップが、
前記第１の搬送波を介して通信されるようにスケジュールされたデータのトラフィック特性に基づいて、前記ニューメロロジーの第１セットから前記ニューメロロジーを選択するステップと、
前記第２の搬送波を介して通信されるようにスケジュールされたデータのトラフィック特性に基づいて、前記ニューメロロジーの第２セットから前記ニューメロロジーを選択するステップとを含む、請求項１から請求項１３のいずれかに記載の方法。
【請求項１５】
前記ニューメロロジーの第１セットから前記ニューメロロジーを選択し、前記ニューメロロジーの第２セットから前記ニューメロロジーを選択するステップが、
前記第１の搬送波を介してデータを通信するために使用される送信モードに基づいて、前記ニューメロロジーの第１セットから前記ニューメロロジーを選択するステップと、
前記第２の搬送波を介してデータを通信するために使用される送信モードに基づいて、前記ニューメロロジーの第２セットから前記ニューメロロジーを選択するステップとを含む、請求項１から請求項１４のいずれかに記載の方法。
【請求項１６】
第３の搬送波に予め関連付けられたニューメロロジーの第３セットからニューメロロジーを選択するステップであって、前記第２の搬送波の中心周波数が、前記第１の搬送波の中心周波数よりも高く、かつ前記第３の搬送波の中心周波数よりも低く、前記ニューメロロジーの第２セット及び前記ニューメロロジーの第３セットの両方が、前記第２の搬送波及び前記第３の搬送波を介して通信するための物理層パラメータの共通のサブセットを指定する少なくとも第２の共通のニューメロロジーを含む、ステップと、
１つ又は複数のユーザ装置（ＵＥ）に少なくとも１つの命令を送信するステップであって、前記少なくとも１つの命令が、前記１つ又は複数のＵＥに、前記ニューメロロジーの第１セットからの前記の選択されたニューメロロジーに従って前記第１の搬送波を介して、前記ニューメロロジーの第２セットからの選択されたニューメロロジーに従って前記第２の搬送波を介して、及び前記ニューメロロジーの第３セットからの前記の選択されたニューメロロジーに従って前記第３の搬送波を介して、無線信号を送信若しくは受信するように指示する、ステップとを更に含む、請求項１から請求項１５のいずれかに記載の方法。
【請求項１７】
プロセッサと、
前記プロセッサによる実行のためのプログラミングを記憶するコンピュータ読み取り可能な記憶媒体とを備えるネットワークデバイスであって、前記プログラミングが、
第１の搬送波に予め関連付けられたニューメロロジーの第１セットからニューメロロジーを選択し、第２の搬送波に予め関連付けされたニューメロロジーの第２セットからニューメロロジーを選択し、前記ニューメロロジーの第１セット及び前記ニューメロロジーの第２セットの両方における前記ニューメロロジーのうちの少なくとも１つが、前記第１の搬送波及び前記第２の搬送波を介して通信するための物理層パラメータの共通のサブセットを含み、
前記ニューメロロジーの第１セットからの前記の選択されたニューメロロジーに従って前記第１の搬送波を介して第１の信号を通信し、前記ニューメロロジーの第２セットからの前記の選択されたニューメロロジーに従って前記第２の搬送波を介して第２の信号を通信する、ための命令を含む、ネットワークデバイス。
【請求項１８】
前記第１の信号及び前記第２の信号が、前記時間領域において重複する、請求項１７に記載のネットワークデバイス。
【請求項１９】
前記プログラミングが、１つ又は複数のユーザ装置（ＵＥ）に少なくとも１つの命令を送信し、前記少なくとも１つの命令が、前記１つ又は複数のＵＥに、前記ニューメロロジーの第１セットからの前記の選択されたニューメロロジーに従って前記第１の搬送波を介して前記第１の信号を送信若しくは受信するとともに、前記ニューメロロジーの第２セットからの前記の選択されたニューメロロジーに従って前記第２の搬送波を介して前記第２の信号を送信若しくは受信するように指示する、ための命令を更に含む、請求項１７から請求項１８のいずれかに記載のネットワークデバイス。
【請求項２０】
無線通信のための方法であって、当該方法が、
ネットワークデバイスによって、第１の搬送波に予め関連付けられたニューメロロジーの第１セットから第１のニューメロロジーを選択するステップと、
第２の搬送波に予め関連付けられたニューメロロジーの第２セットから第２のニューメロロジーを選択するステップであって、前記第１のニューメロロジー及び前記第２のニューメロロジーの両方が物理層パラメータの共通のサブセットを含む、ステップと、
前記第１のニューメロロジーに従って前記第１の搬送波を介して第１の信号を通信し、前記第２のニューメロロジーに従って前記第２の搬送波を介して第２の信号を通信するステップとを含む、方法。
【請求項２１】
前記第１の信号及び前記第２の信号が、前記時間領域において重複する、請求項２０に記載の方法。
【請求項２２】
１つ又は複数のＵＥに少なくとも１つの命令を送信するステップであって、前記少なくとも１つの命令が、前記１つ又は複数のＵＥに、前記第１のニューメロロジーに従って前記第１の搬送波を介して前記第１の信号を送信若しくは受信するとともに、前記第２のニューメロロジーに従って前記第２の搬送波を介して前記第２の信号を送信若しくは受信するように指示する、ステップを更に含む、請求項２０から請求項２１のいずれかに記載の方法。
【請求項２３】
前記少なくとも１つの命令が、同じＵＥに、前記第１のニューメロロジーに従って前記第１の搬送波を介した前記第１の信号及び前記第２のニューメロロジーに従って前記第２の搬送波を介した前記第２の信号を介して無線信号を送信若しくは受信するように指示する、請求項２２に記載の方法。
【請求項２４】
前記少なくとも１つの命令が、第１のＵＥに、前記第１のニューメロロジーに従って前記第１の搬送波を介して前記第１の信号を送信若しくは受信するように指示するとともに、第２のＵＥに、前記第２のニューメロロジーに従って前記第２の搬送波を介して前記第２の信号を送信若しくは受信するように指示する、請求項２２に記載の方法。
【請求項２５】
前記第１のニューメロロジー及び前記第２のニューメロロジーの両方が、前記第１の搬送波及び前記第２の搬送波の両方における副搬送波間の共通の副搬送波周波数間隔と、前記第１の搬送波及び前記第２の搬送波の両方におけるシンボルに関する共通のシンボル期間とを指定する、請求項２０から請求項２４のいずれかに記載の方法。
【請求項２６】
前記第１のニューメロロジー及び前記第２のニューメロロジーの両方が、前記第１の搬送波及び前記第２の搬送波の両方におけるシンボルに関する共通のサイクリックプレフィックス（ＣＰ）長を更に指定する、請求項２５に記載の方法。
【請求項２７】
前記第１のニューメロロジー及び前記第２のニューメロロジーの両方が、前記第１の搬送波及び前記第２の搬送波の両方に関する共通の送信時間間隔（ＴＴＩ）を更に指定する、請求項２６に記載の方法。
【請求項２８】
プロセッサと、
前記プロセッサによる実行のためのプログラミングを記憶するコンピュータ読み取り可能な記憶媒体とを備えるネットワークデバイスであって、前記プログラミングが、
第１の搬送波に予め関連付けられたニューメロロジーの第１セットから第１のニューメロロジーを選択し、
第２の搬送波に予め関連付けられたニューメロロジーの第２セットから第２のニューメロロジーを選択し、前記第１のニューメロロジー及び前記第２のニューメロロジーの両方が物理層パラメータの共通のサブセットを含み、
前記第１のニューメロロジーに従って前記第１の搬送波を介して第１の信号を通信し、前記第２のニューメロロジーに従って前記第２の搬送波を介して第２の信号を通信する、ための命令を含む、ネットワークデバイス。
【請求項２９】
前記第１の信号及び前記第２の信号が、前記時間領域において重複する、請求項２８に記載のネットワークデバイス。
【請求項３０】
前記プログラミングが、１つ又は複数のＵＥに少なくとも１つの命令を送信し、前記少なくとも１つの命令が、前記１つ又は複数のＵＥに、前記第１のニューメロロジーに従って前記第１の搬送波を介して前記第１の信号を送信若しくは受信するとともに、前記第２のニューメロロジーに従って前記第２の搬送波を介して前記第２の信号を送信若しくは受信するように指示する、ための命令を更に含む、請求項２８から請求項２９のいずれかに記載のネットワークデバイス。
【請求項３１】
無線通信のための方法であって、当該方法が、
ネットワークデバイスによって、第１の搬送波を介して、前記第１の搬送波に予め関連付けられたニューメロロジーの第１セットから選択された第１のニューメロロジーに従って第１の信号を通信するステップと、
前記ネットワークデバイスによって、第２の搬送波を介して、前記第２の搬送波に予め関連付けられたニューメロロジーの第２セットから選択された第２のニューメロロジーに従って第２の信号を通信するステップとを含み、
前記ニューメロロジーの第１セット及び前記ニューメロロジーの第２セットの両方における前記ニューメロロジーのうちの少なくとも１つが、前記第１の搬送波及び前記第２の搬送波を介して通信するための物理層パラメータの共通のサブセットを含む、方法。
【請求項３２】
前記第１の信号及び前記第２の信号が、前記時間領域において重複する、請求項３１に記載の方法。
【請求項３３】
前記ネットワークデバイスによって、基準に基づいて前記ニューメロロジーの第１セットから前記第１のニューメロロジーを選択するステップと、
前記ネットワークデバイスによって、前記基準に基づいて前記ニューメロロジーの第２セットから前記第２のニューメロロジーを選択するステップとを更に含む、請求項３１から請求項３２のいずれかに記載の方法。
【請求項３４】
前記基準が、ＵＥ又は一群のＵＥに関連付けられた移動速度、搬送波を介して通信されるようにスケジュールされたデータのトラフィック特性、及び搬送波を介してデータを通信するために使用される送信モードのうちの少なくとも１つを含む、請求項３３に記載の方法。
【請求項３５】
１つ又は複数のユーザ装置（ＵＥ）に少なくとも１つの命令を送信するステップであって、前記少なくとも１つの命令が、前記１つ又は複数のＵＥに、前記ニューメロロジーの第１セットからの前記の選択されたニューメロロジーに従って前記第１の搬送波を介して前記第１の信号を送信若しくは受信するとともに、前記ニューメロロジーの第２セットからの前記の選択されたニューメロロジーに従って前記第２の搬送波を介して前記第２の信号を送信若しくは受信するように指示する、ステップを更に含む、請求項３１から請求項３４のいずれかに記載の方法。
【請求項３６】
１つ又は複数のＵＥに前記少なくとも１つの命令を送信するステップが、
第１のＵＥに第１の命令を、前記ニューメロロジーの第１セットからの前記の選択されたニューメロロジーに従って前記第１の搬送波を介して前記第１の信号を送信若しくは受信するように前記第１のＵＥに指示するために送信するステップと、
第２のＵＥに第２の命令を、前記ニューメロロジーの第２セットからの前記の選択されたニューメロロジーに従って前記第２の搬送波を介して前記第２の信号を送信若しくは受信するように前記第２のＵＥに指示するために送信するステップであって、前記第２の命令が前記第１の命令とは異なる、ステップとを含む、請求項３５に記載の方法。
【請求項３７】
１つ又は複数のＵＥに前記少なくとも１つの命令を送信するステップが、
ＵＥに単一の命令を送信するステップであって、前記単一の命令が、前記ＵＥに、前記ニューメロロジーの第１セットからの前記の選択されたニューメロロジーに従って前記第１の搬送波を介して前記第１の信号を送信若しくは受信するとともに、前記ニューメロロジーの第２セットからの前記の選択されたニューメロロジーに従って前記第２の搬送波を介して前記第２の信号を送信若しくは受信するように指示する、ステップを含む、請求項３５に記載の方法。
【請求項３８】
前記共通のニューメロロジーが、前記第１の搬送波及び前記第２の搬送波の両方における副搬送波間の共通の副搬送波周波数間隔と、前記第１の搬送波及び前記第２の搬送波の両方におけるシンボルに関する共通のシンボル期間とを指定する、請求項３１から請求項３７のいずれかに記載の方法。
【請求項３９】
前記共通のニューメロロジーが、前記第１の搬送波及び前記第２の搬送波の両方におけるシンボルに関する共通のサイクリックプレフィックス（ＣＰ）長を更に指定する、請求項３８に記載の方法。
【請求項４０】
前記共通のニューメロロジーが、前記第１の搬送波及び前記第２の搬送波の両方に関する共通の送信時間間隔（ＴＴＩ）を更に指定する、請求項３８に記載の方法。
【請求項４１】
前記共通のニューメロロジーが、前記第１の搬送波及び前記第２の搬送波を介して通信するための送信時間間隔（ＴＴＩ）を指定しない、請求項３８に記載の方法。
【請求項４２】
前記第１の搬送波が、前記第２の搬送波とは異なる中心周波数を有する、請求項３１から請求項４１のいずれかに記載の方法。
【請求項４３】
第３の搬送波を介して、前記第３の搬送波に予め関連付けられたニューメロロジーの第３セットから選択された第３のニューメロロジーに従って第３の信号を通信するステップであって、前記第２の搬送波の中心周波数が、前記第１の搬送波の中心周波数よりも高く、かつ前記第３の搬送波の中心周波数よりも低く、前記ニューメロロジーの第２セット及び前記ニューメロロジーの第３セットの両方が、前記第２の搬送波及び前記第３の搬送波を介して通信するための物理層パラメータの共通のサブセットを含む少なくとも第２の共通のニューメロロジーを含む、ステップを更に含む、請求項３１から請求項４２のいずれかに記載の方法。
【請求項４４】
プロセッサと、
前記プロセッサによる実行のためのプログラミングを記憶するコンピュータ読み取り可能な記憶媒体とを備えるネットワークデバイスであって、前記プログラミングが、
第１の搬送波を介して、前記第１の搬送波に予め関連付けられたニューメロロジーの第１セットから選択された第１のニューメロロジーに従って第１の信号を通信し、
第２の搬送波を介して、前記第２の搬送波に予め関連付けられたニューメロロジーの第２セットから選択された第２のニューメロロジーに従って第２の信号を通信するための命令を含み、
前記ニューメロロジーの第１セット及び前記ニューメロロジーの第２セットの両方における前記ニューメロロジーのうちの少なくとも１つが、前記第１の搬送波及び前記第２の搬送波を介して通信するための物理層パラメータの共通のサブセットを含む、ネットワークデバイス。
【請求項４５】
前記第１の信号及び前記第２の信号が、前記時間領域において重複する、請求項４４に記載のネットワークデバイス。
【請求項４６】
前記プログラミングが、
基準に基づいて前記ニューメロロジーの第１セットから前記第１のニューメロロジーを選択し、
前記基準に基づいて前記ニューメロロジーの第２セットから前記第２のニューメロロジーを選択するための命令を更に含む、請求項４４から請求項４５のいずれかに記載のネットワークデバイス。
【請求項４７】
前記基準が、ＵＥ又は一群のＵＥに関連付けられた移動速度、搬送波を介して通信されるようにスケジュールされたデータのトラフィック特性、及び搬送波を介してデータを通信するために使用される送信モードのうちの少なくとも１つを含む、請求項４６に記載のネットワークデバイス。
【請求項４８】
前記プログラミングが、
１つ又は複数のユーザ装置（ＵＥ）に少なくとも１つの命令を送信し、前記少なくとも１つの命令が、前記１つ又は複数のＵＥに、前記ニューメロロジーの第１セットからの前記の選択されたニューメロロジーに従って前記第１の搬送波を介して前記第１の信号を送信若しくは受信するとともに、前記ニューメロロジーの第２セットからの前記の選択されたニューメロロジーに従って前記第２の搬送波を介して前記第２の信号を送信若しくは受信するように指示する、ための命令を更に含む、請求項４４から請求項４７のいずれかに記載のネットワークデバイス。
【請求項４９】
１つ又は複数のＵＥに前記少なくとも１つの命令を送信することが、
第１のＵＥに第１の命令を、前記ニューメロロジーの第１セットからの前記の選択されたニューメロロジーに従って前記第１の搬送波を介して前記第１の信号を送信若しくは受信するように前記第１のＵＥに指示するために送信することと、
第２のＵＥに第２の命令を、前記ニューメロロジーの第２セットからの前記の選択されたニューメロロジーに従って前記第２の搬送波を介して前記第２の信号を送信若しくは受信するように前記第２のＵＥに指示するために送信することであって、前記第２の命令が前記第１の命令とは異なる、送信することとを含む、請求項４８に記載のネットワークデバイス。
【請求項５０】
１つ又は複数のＵＥに前記少なくとも１つの命令を送信することが、
ＵＥに単一の命令を送信することであって、前記単一の命令が、前記ＵＥに、前記ニューメロロジーの第１セットからの前記の選択されたニューメロロジーに従って前記第１の搬送波を介して前記第１の信号を送信若しくは受信するとともに、前記ニューメロロジーの第２セットからの前記の選択されたニューメロロジーに従って前記第２の搬送波を介して前記第２の信号を送信若しくは受信するように指示する、送信することを含む、請求項４８に記載のネットワークデバイス。
【請求項５１】
前記共通のニューメロロジーが、前記第１の搬送波及び前記第２の搬送波の両方における副搬送波間の共通の副搬送波周波数間隔と、前記第１の搬送波及び前記第２の搬送波の両方におけるシンボルに関する共通のシンボル期間とを指定する、請求項４４から請求項５０のいずれかに記載のネットワークデバイス。
【請求項５２】
前記共通のニューメロロジーが、前記第１の搬送波及び前記第２の搬送波の両方におけるシンボルに関する共通のサイクリックプレフィックス（ＣＰ）長を更に指定する、請求項５１に記載のネットワークデバイス。
【請求項５３】
前記共通のニューメロロジーが、前記第１の搬送波及び前記第２の搬送波の両方に関する共通の送信時間間隔（ＴＴＩ）を更に指定する、請求項５１に記載のネットワークデバイス。
【請求項５４】
前記共通のニューメロロジーが、前記第１の搬送波及び前記第２の搬送波を介して通信するための送信時間間隔（ＴＴＩ）を指定しない、請求項５１に記載のネットワークデバイス。
【請求項５５】
前記第１の搬送波が、前記第２の搬送波とは異なる中心周波数を有する、請求項４４から請求項５４のいずれかに記載のネットワークデバイス。
【請求項５６】
前記プログラミングが、
第３の搬送波を介して、前記第３の搬送波に予め関連付けられたニューメロロジーの第３セットから選択された第３のニューメロロジーに従って第３の信号を通信し、前記第２の搬送波の中心周波数が、前記第１の搬送波の中心周波数よりも高く、かつ前記第３の搬送波の中心周波数よりも低く、前記ニューメロロジーの第２セット及び前記ニューメロロジーの第３セットの両方が、前記第２の搬送波及び前記第３の搬送波を介して通信するための物理層パラメータの共通のサブセットを含む少なくとも第２の共通のニューメロロジーを含む、ための命令を更に含む、請求項４４から請求項５５のいずれかに記載のネットワークデバイス。
【請求項５７】
信号を送信するための方法であって、当該方法が、
第１の搬送波に予め関連付けられたニューメロロジーの第１セットからの第１のニューメロロジーに従って、前記第１の搬送波を介して信号を送信するステップを含み、
前記ニューメロロジーの第１セット及び第２の搬送波に予め関連付けされたニューメロロジーの第２セットの両方における前記ニューメロロジーのうちの少なくとも１つが、前記第１の搬送波及び前記第２の搬送波を介して通信するための物理層パラメータの共通のサブセットを含む、方法。
【請求項５８】
前記第１のニューメロロジーを示す命令を受信するステップを更に含む、請求項５７に記載の方法。
【請求項５９】
前記ニューメロロジーの第１セットから前記第１のニューメロロジーを選択するステップを更に含む、請求項５７に記載の方法。
【請求項６０】
前記共通のニューメロロジーが、前記第１の搬送波及び前記第２の搬送波の両方における副搬送波間の共通の副搬送波周波数間隔と、前記第１の搬送波及び前記第２の搬送波の両方におけるシンボルに関する共通のシンボル期間とを指定する、請求項５７から請求項５９のいずれかに記載の方法。
【請求項６１】
前記共通のニューメロロジーが、前記第１の搬送波及び前記第２の搬送波の両方におけるシンボルに関する共通のサイクリックプレフィックス（ＣＰ）長を更に指定する、請求項６０に記載の方法。
【請求項６２】
前記共通のニューメロロジーが、前記第１の搬送波及び前記第２の搬送波の両方に関する共通の送信時間間隔（ＴＴＩ）を更に指定する、請求項６０に記載の方法。
【請求項６３】
前記共通のニューメロロジーが、前記第１の搬送波及び前記第２の搬送波を介して通信するための送信時間間隔（ＴＴＩ）を指定しない、請求項６０に記載の方法。
【請求項６４】
前記第１の搬送波が、前記第２の搬送波とは異なる中心周波数を有する、請求項５７から請求項６３のいずれかに記載の方法。
【請求項６５】
プロセッサと、
前記プロセッサによる実行のためのプログラミングを記憶するコンピュータ読み取り可能な記憶媒体とを備えるネットワークデバイスであって、前記プログラミングが、
第１の搬送波を介して、前記第１の搬送波に予め関連付けられたニューメロロジーの第１セットからの第１のニューメロロジーに従って信号を送信するための命令を含み、
前記ニューメロロジーの第１セット及び第２の搬送波に予め関連付けされたニューメロロジーの第２セットの両方における前記ニューメロロジーのうちの少なくとも１つが、前記第１の搬送波及び前記第２の搬送波を介して通信するための物理層パラメータの共通のサブセットを含む、ネットワークデバイス。
【請求項６６】
前記共通のニューメロロジーが、前記第１の搬送波及び前記第２の搬送波の両方における副搬送波間の共通の副搬送波周波数間隔と、前記第１の搬送波及び前記第２の搬送波の両方におけるシンボルに関する共通のシンボル期間とを指定する、請求項６５に記載のネットワークデバイス。
【請求項６７】
前記共通のニューメロロジーが、前記第１の搬送波及び前記第２の搬送波の両方におけるシンボルに関する共通のサイクリックプレフィックス（ＣＰ）長を更に指定する、請求項６６に記載のネットワークデバイス。
【請求項６８】
前記共通のニューメロロジーが、前記第１の搬送波及び前記第２の搬送波の両方に関する共通の送信時間間隔（ＴＴＩ）を更に指定する、請求項６６に記載のネットワークデバイス。
【請求項６９】
前記共通のニューメロロジーが、前記第１の搬送波及び前記第２の搬送波を介して通信するための送信時間間隔（ＴＴＩ）を指定しない、請求項６６に記載のネットワークデバイス。
【請求項７０】
前記第１の搬送波が、前記第２の搬送波とは異なる中心周波数を有する、請求項６５から請求項６９のいずれかに記載のネットワークデバイス。
【発明の詳細な説明】
【技術分野】
【０００１】
この特許出願は、２０１５年１０月２３日に出願された“Ｓｙｓｔｅｍｓ  ａｎｄ  Ｍｅｔｈｏｄｓ  ｆｏｒ  Ｃｏｎｆｉｇｕｒｉｎｇ  Ｃａｒｒｉｅｒｓ  Ｕｓｉｎｇ  Ｏｖｅｒｌａｐｐｉｎｇ  Ｓｅｔｓ  ｏｆ  Ｃａｎｄｉｄａｔｅ  Ｎｕｍｅｒｏｌｏｇｉｅｓ”という名称の米国仮出願第６２／２４５，７１０号に対して優先権を主張している、２０１６年４月１２日に出願された“Ｓｙｓｔｅｍｓ  ａｎｄ  Ｍｅｔｈｏｄｓ  ｆｏｒ  Ｃｏｎｆｉｇｕｒｉｎｇ  Ｃａｒｒｉｅｒｓ  Ｕｓｉｎｇ  Ｏｖｅｒｌａｐｐｉｎｇ  Ｓｅｔｓ  ｏｆ  Ｃａｎｄｉｄａｔｅ  Ｎｕｍｅｒｏｌｏｇｉｅｓ”という名称の米国特許出願第１５／０９６，７９５号に対する優先権を主張し、上記の全ての米国出願の内容は、その全体が再現されているかのように、参照により本明細書に組み込まれている。
【０００２】
本発明は、無線通信に関し、特定の実施例では、候補ニューメロロジーの重複セットを使用して搬送波を設定するためのシステム及び方法に関する。
【背景技術】
【０００３】
次世代無線ネットワークは、様々な、しばしば変化するチャネル条件にわたって、高いスループット率を提供しながら、多様なトラフィックタイプ（例えば、音声、データ、モバイルゲーム）をサポートする必要があるであろう。これを達成するために、ネットワークデバイスは、異なる搬送波に対して異なる物理層パラメータを、効率的でかつ依然としてスケーラブルな方法で設定する能力を有する必要があり得る。したがって、複数の搬送波に対して物理層パラメータを効率的に設定する技術及び方式が望まれている。
【発明の概要】
【０００４】
技術的利点は、一般に、候補ニューメロロジーの重複セットを使用して搬送波を設定するためのシステム及び方法を説明する本開示の実施例によって達成される。
【０００５】
一実施例によれば、搬送波に対してニューメロロジーを設定するための方法が提供される。この例では、当該方法は、第１の搬送波に予め関連付けられたニューメロロジーの第１セットからニューメロロジーを選択し、第２の搬送波に予め関連付けられたニューメロロジーの第２セットからニューメロロジーを選択するステップを含む。ニューメロロジーの第１セット及びニューメロロジーの第２セットの両方におけるニューメロロジーのうちの少なくとも１つは、第１の搬送波及び第２の搬送波を介して通信するための物理層パラメータの共通のサブセットを含む。当該方法は、ニューメロロジーの第１セットからの選択されたニューメロロジーに従って第１の搬送波を介して第１の信号を通信し、ニューメロロジーの第２セットからの選択されたニューメロロジーに従って第２の搬送波を介して第２の信号を通信するステップを更に含む。この方法を実施するための装置が同様に提供される。
【０００６】
別の実施例によれば、異なる搬送波に対して共通のニューメロロジーを設定するための方法が提供される。この例では、当該方法は、第１の搬送波に予め関連付けられたニューメロロジーの第１セットから第１のニューメロロジーを選択するステップと、第２の搬送波に予め関連付けられたニューメロロジーの第２セットから第２のニューメロロジーを選択するステップとを含む。第１のニューメロロジー及び第２のニューメロロジーの両方は、物理層パラメータの共通のサブセットを含む。当該方法は、第１のニューメロロジーに従って第１の搬送波を介して第１の信号を通信し、第２のニューメロロジーに従って第２の搬送波を介して第２の信号を通信するステップを更に含む。この方法を実施するための装置が同様に提供される。
【０００７】
本発明及びその利点のより完全な理解のために、添付の図面とともに読まれる下記の説明に対して、ここで参照が行われる。
【図面の簡単な説明】
【０００８】
【図１】実施例の無線ネットワークの図である。
【図２】候補ニューメロロジーの重複セットを使用して搬送波を設定するための実施例の通信シーケンスのプロトコル図である。
【図３】候補ニューメロロジーの重複セットを使用して搬送波を設定するための実施例の方法のフローチャートである。
【図４】候補ニューメロロジーの重複セットを使用して搬送波を設定するための別の実施例の方法のフローチャートである。
【図５】実施例の処理システムの図である。
【図６】実施例のトランシーバの図である。
【発明を実施するための形態】
【０００９】
異なる図面における対応する数字及び記号は、他に示されない限り、概して、対応する部分を指す。図面は、実施例の関連する態様を明確に例示するために描かれたものであり、必ずしも一定の縮尺で描かれているわけではない。
【００１０】
本開示の実施例の構成及び使用が下記で詳細に論じられる。しかしながら、本発明は、多種多様な特定の状況において具体化されることができる多くの応用できる発明概念を提供する、ということが認識されるべきである。論じられた特定の実施例は、発明を構成して使用する特定の方法を単に例示するとともに、発明の範囲を限定しない。
【００１１】
搬送波を介して信号を通信するために使用される物理層パラメータのサブセットは、総称して搬送波の“ニューメロロジー（ｎｕｍｅｒｏｌｏｇｙ）”と呼ばれ、搬送波を介して信号を送信するために使用される送信時間間隔（Ｔｒａｎｓｍｉｓｓｉｏｎ  Ｔｉｍｅ  Ｉｎｔｅｒｖａｌ、ＴＴＩ）、搬送波を介して送信されるシンボルのシンボル期間、搬送波を介して送信されるシンボルのサイクリックプレフィックス（Ｃｙｃｌｉｃ  Ｐｒｅｆｉｘ、ＣＰ）長、及び信号が送信される副搬送波周波数の間の副搬送波間隔の組み合わせ又はサブセットを含むことができる。異なるニューメロロジーが、異なる中心周波数範囲を有する搬送波と予め関連付けられることができる。
【００１２】
さらに、改善されたスペクトルの柔軟性を達成するために、複数の候補ニューメロロジーが各搬送波と予め関連付けられることができ、その結果、与えられた搬送波は、例えば、異なるトラフィックタイプをサポートし、異なる速度で移動するモバイル機器に割り当てられ、異なるチャネル条件にわたって効率的にデータを通信し、及び／又は異なる送信モードに対して使用されることができる。
【００１３】
動的な搬送波設定をサポートするために、サービング基地局又はコントローラは、ＵＥに割り当てられた搬送波をＵＥに通知するために、サービスされたＵＥに制御シグナリングを通信する必要があり得ると同時に、その搬送波に予め関連付けられた候補ニューメロロジーのうちのどれがデータ信号を通信するために使用されることになるかを示す必要があり得る。従来のアプローチは、搬送波ごとに、候補ニューメロロジーの重複しない異なるセットを定義する。一例では、従来のアプローチは、１ＧＨｚの搬送波に対して、３．７５キロヘルツ（ｋＨｚ）、７．５ｋＨｚ、及び１５ｋＨｚの副搬送波間隔に基づく３つのニューメロロジーのセット、及び５ＧＨｚの搬送波に対して、３０ｋＨｚ、６０ｋＨｚ、及び９０ｋＨｚの副搬送波間隔に基づく３つのニューメロロジーのセットを定義する。各搬送波に対して、個々の、相互に排他的な候補ニューメロロジーのセットを定義することは、ＵＥ及び／又は基地局によってサポートされる必要があるニューメロロジーの数を大幅に増加させる可能性があり、それは、動的な搬送波設定に関連付けられた実装の複雑さを増加させる。
【００１４】
本明細書で提供される実施例は、ネットワーク内の少なくともいくつかの搬送波に関する候補ニューメロロジーの重複セットを定義することによって、動的な搬送波設定に関連付けられた実装の複雑さを低減する。より具体的には、共通のニューメロロジーが、２つの異なる搬送波に予め関連付けられたニューメロロジーのセットに含まれる。このニューメロロジーの重複は、ＵＥ及び／又は基地局によってサポートされる必要があるニューメロロジーの総数を減らし、それは、言い換えると、これらのデバイスが、あまり複雑ではないハードウェア、プロトコルスタック、及び／又はソフトウェアの他に、より低い記憶装置及び処理の要件によって設計されることを可能にすることにより、これらのデバイスの複雑さを低減する。ニューメロロジーの総数を減らすことは、搬送波に対してニューメロロジーを設定するために、より少ない制御シグナリングビットが送信される必要があるだろうから、オーバヘッドを低減し得る。共通のニューメロロジーは、両方の搬送波に関して、物理層パラメータの共通のサブセットを指定する。一例では、共通のニューメロロジーは、両方の搬送波に関して、同じ副搬送波周波数間隔及びシンボル期間を指定する。共通のニューメロロジーは、両方の搬送波を介して通信されるシンボルに関して、同じサイクリックプレフィックス（Ｃｙｃｌｉｃ  Ｐｒｅｆｉｘ、ＣＰ）長を更に指定することができる。いくつかの実施例では、共通のニューメロロジーは、両方の搬送波を介して通信される信号に関して、同じＴＴＩを指定する。他の実施例では、共通のニューメロロジーは、搬送波に関してＴＴＩを指定せず、その場合、共通のニューメロロジーに従って搬送波を介して通信される信号は、共通のニューメロロジーから独立して設定される異なるＴＴＩを有することができる。いくつかの実施例では、基地局は、選択されたニューメロロジーに基づいて、搬送波を介して無線信号を送信又は受信するようにＵＥに指示する明示的なシグナリング命令をＵＥに送信する。他の実施例では、ＵＥは、基地局からの他のシグナリングに基づいて、例えばサービス又は送信モード、再送信モードなどに基づいて、選択されたニューメロロジーを推測する。これら及び他の発明的な態様は、下記でより詳細に説明される。
【００１５】
図１は、データを通信するための無線ネットワーク１００の図である。無線ネットワーク１００は、カバレッジエリア１０１を有する基地局１１０と、複数のＵＥ１２０と、バックホールネットワーク１３０とを含む。図示されているように、基地局１１０は、ＵＥ１２０と、ＵＥ１２０から基地局１１０にデータを運ぶ役割を果たし、逆もまた同様である、アップリンク（破線）及び／又はダウンリンク（点線）接続を確立する。アップリンク／ダウンリンク接続を介して搬送されるデータは、ＵＥ１２０間で通信されるデータの他に、バックホールネットワーク１３０を経由して、リモートエンド（図示せず）へ／リモートエンド（図示せず）から、通信されるデータを含むことができる。本明細書において使用されるように、用語“基地局”は、進化型ノードＢ（ｅＮＢ）、マクロセル、フェムトセル、Ｗｉ−Ｆｉアクセスポイント（Ａｃｃｅｓｓ  Ｐｏｉｎｔ、ＡＰ）、又は他の無線で使用可能にされるデバイスのようなネットワークに対する無線アクセスを提供するように構成された任意のコンポーネント（若しくはコンポーネントの集合）のことを指す。基地局は、１つ又は複数の無線通信プロトコル、例えばロングタームエボリューション（Ｌｏｎｇ−Ｔｅｒｍ  Ｅｖｏｌｕｔｉｏｎ、ＬＴＥ）、ＬＴＥアドバンスト（ＬＴＥ−Ａ）、高速パケットアクセス（Ｈｉｇｈ  Ｓｐｅｅｄ  Ｐａｃｋｅｔ  Ａｃｃｅｓｓ、ＨＳＰＡ）、Ｗｉ−Ｆｉ  ８０２．１１ａ／ｂ／ｇ／ｎ／ａｃに従って無線アクセスを提供し得る。本明細書において使用されるように、“ユーザ装置（Ｕｓｅｒ  Ｅｑｕｉｐｍｅｎｔ、ＵＥ）”という用語は、基地局との無線接続を確立することができる任意のコンポーネント（若しくはコンポーネントの集合）のことを指す。用語“ＵＥ”、“無線デバイス”、及び“移動局（Ｓｔａｔｉｏｎ、ＳＴＡ）”は、本開示を通じて交換可能に使用される。いくつかの実施例では、ネットワーク１００は、中継機、低電力ノードなどの様々な他の無線デバイスを含むことができる。
【００１６】
本開示の実施例は、動的な搬送波設定に関連付けられたオーバヘッド及び実装の複雑さを低減するために、重複するニューメロロジーを利用する。
【００１７】
図２は、候補ニューメロロジーの重複セットを使用して搬送波を動的に設定するための実施例の通信シーケンス２００のプロトコル図である。この例では、基地局２１０は、ＵＥ２２１、２２２、２２３に、異なるスペクトルリソースを割り当てる。特に、ＵＥ２２１は低周波数搬送波を割り当てられ、ＵＥ２２２は中間周波数搬送波を割り当てられ、ＵＥ２２３は高周波数搬送波を割り当てられる。低周波数搬送波は、中間周波数搬送波より低い中心周波数を有するとともに、中間周波数搬送波は、高周波数搬送波より低い中心周波数を有する。
【００１８】
基地局２１０は、同様に、ＵＥ２１１、２１２、２１３の割り当てられた搬送波を介してどのニューメロロジーが設定されることになるかをＵＥ２１１、２１２、２１３に通知するために、インジケータメッセージ２１１、２１２、２１３をＵＥ２２１、２２２、２２３に（それぞれ）送信する。インジケータメッセージ２１１、２１２、２１３は、例えば、デフォルトのニューメロロジーを使用して、割り当てられた搬送波を介して通信されることができる。その代わりに、割り当てられた搬送波は、より高次のシグナリング（例えば、無線リソース制御（Ｒａｄｉｏ  Ｒｅｓｏｕｒｃｅ  Ｃｏｎｔｒｏｌ、ＲＲＣ）シグナリング）によって、又はデフォルト／アクセス搬送波周波数を介して、ＵＥ２１１、２１２、２１３に通信されてもよい。いくつかの実施例では、インジケータメッセージ２１１、２１２、２１３は、同様に、ＵＥ２１１、２１２、２１３がどの搬送波を割り当てられているかをＵＥ２１１、２１２、２１３に通知する。他の実施例では、搬送波割り当ては、別々のシグナリングを使用してＵＥ２１１、２１２、２１３に通信される。更に別の代替案として、ニューメロロジーは、基地局２１０から受信された物理層信号の特徴に基づいて、ＵＥに暗黙的にシグナリングされてもよい。例えば、ニューメロロジーは、物理層信号内の同期信号のタイプ及び／若しくは数、物理層信号を通信するために使用される拡散シーケンス、又は物理層信号内の参照信号（例えば、復調参照信号、セル固有参照信号、ユーザ固有参照信号）のタイプ又は数に基づいて判定されることができる。更に別の代替案として、ニューメロロジーは、ブラインド検出によって判定されることができる。例えば、ＵＥは、１つ又は複数の基準が満たされるまで、例えば、信号が候補ニューメロロジーに従って正しく受信されたことを巡回冗長検査（Ｃｙｃｌｉｃ  Ｒｅｄｕｎｄａｎｃｙ  Ｃｈｅｃｋ、ＣＲＣ）チェックが証明するまで、異なるニューメロロジーに基づいて搬送波を介して信号を送信又は受信しようとすることができる。
【００１９】
テーブル２９０によって示されるように、３つの搬送波のそれぞれは、２つのニューメロロジーと予め関連付けられる。特に、低周波数搬送波は、ニューメロロジーＡ及びニューメロロジーＢと予め関連付けられ、中間周波数搬送波は、ニューメロロジーＢ及びニューメロロジーＣと予め関連付けられ、高周波数搬送波は、ニューメロロジーＣ及びニューメロロジーＤと予め関連付けられる。とりわけ、ニューメロロジーＢは、低周波数搬送波及び中間周波数搬送波の両方に設定されることができ、ニューメロロジーＣは、中間周波数搬送波及び高周波数搬送波の両方に設定されることができる。このニューメロロジーの重複は、ＵＥ及び／又はｅＮＢによってサポートされる必要があるニューメロロジーの総数を減らし、それは、言い換えると、例えば、あまり複雑ではないハードウェア、プロトコルスタック、及びソフトウェア、より低い記憶装置及び処理の要件など、これらのデバイスの複雑さを低減する。
【００２０】
テーブル２９０における重複するニューメロロジー設定は、多くの可能な実施例の重複するニューメロロジー設定の一例であり、異なる実施例の重複するニューメロロジー設定が、様々なレベルの複雑さの低減を提供し得る、ということが認識されるべきである。実施例の重複するニューメロロジー設定は、異なる数のニューメロロジーを異なる数の搬送波と予め関連付けることができ、同様に、様々な度合いの搬送波間のニューメロロジーの重複を提供することができる、ということが同様に認識されるべきである。例えば、実施例のニューメロロジー設定は、２つ以上の隣接するキャリア間に２つ以上の共通のニューメロロジーを予め関連付けることができる。共通のニューメロロジーは、隣接していない搬送波と予め関連付けられることができる、ということが同様に認識されるべきである。
【００２１】
テーブル１は、搬送波の中心周波数の２つの異なる範囲に関して候補ニューメロロジーを列挙する。この例では、３．７５ｋＨｚ、７．５ｋＨｚ、及び１５ｋＨｚの副搬送波間隔に基づく３つの候補ニューメロロジーのセットは、０．６ＧＨｚと３ＧＨｚとの間の中心周波数を有する搬送波と予め関連付けられ、１５ｋＨｚ、３０ｋＨｚ、及び６０ｋＨｚの副搬送波間隔に基づく３つの候補ニューメロロジーのセットは、３ＧＨｚと６ＧＨｚとの間の中心周波数を有する搬送波と予め関連付けられる。１５ｋＨｚの副搬送波間隔に基づく候補ニューメロロジーは、テーブル１に列挙されたそれぞれの搬送波範囲に予め関連付けられた候補ニューメロロジーの両方のセットに共通である。
【００２２】
【表１】
2019501558.tif 000003
【００２３】
テーブル２は、搬送波の中心周波数の３つの異なる範囲に関して候補ニューメロロジーを列挙する。この例では、３．７５ｋＨｚ、７．５ｋＨｚ、及び１５ｋＨｚの副搬送波間隔に基づく３つの候補ニューメロロジーのセットは、０．６ＧＨｚと２ＧＨｚとの間の中心周波数を有する搬送波と予め関連付けられ、１５ｋＨｚ、及び３０ｋＨｚの副搬送波間隔に基づく２つの候補ニューメロロジーのセットは、２ＧＨｚと４ＧＨｚとの間の中心周波数を有する搬送波と予め関連付けられ、３０ｋＨｚ、及び６０ｋＨｚの副搬送波間隔に基づく２つの候補ニューメロロジーのセットは、４ＧＨｚと６ＧＨｚとの間の中心周波数を有する搬送波と予め関連付けられる。１５ｋＨｚの副搬送波間隔に基づく候補のニューメロロジーは、０．６ＧＨｚと２ＧＨｚとの間の中心周波数を有する搬送波に予め関連付けられた候補ニューメロロジーのセット、及び２ＧＨｚと４ＧＨｚとの間の中心周波数を有する搬送波に予め関連付けられた候補ニューメロロジーのセットに共通である。同様に、３０ｋＨｚの副搬送波間隔に基づく候補のニューメロロジーは、２ＧＨｚと４ＧＨｚとの間の中心周波数を有する搬送波に予め関連付けられた候補ニューメロロジーのセット、及び４ＧＨｚと６ＧＨｚとの間の中心周波数を有する搬送波に予め関連付けられた候補ニューメロロジーのセットに共通である。
【００２４】
【表２】
2019501558.tif 000004
【００２５】
テーブル３は、搬送波の中心周波数の３つの異なる範囲に関して候補ニューメロロジーを列挙する。この例では、３．７５ｋＨｚ、７．５ｋＨｚ、及び１５ｋＨｚの副搬送波間隔に基づく３つの候補ニューメロロジーのセットは、０．６ＧＨｚと３ＧＨｚとの間の中心周波数を有する搬送波と予め関連付けられ、１５ｋＨｚ、及び３０ｋＨｚの副搬送波間隔に基づく２つの候補ニューメロロジーのセットは、３ＧＨｚと６ＧＨｚとの間の中心周波数を有する搬送波と予め関連付けられ、３０ｋＨｚ、及び６０ｋＨｚの副搬送波間隔に基づく２つの候補ニューメロロジーのセットは、６ＧＨｚと６０ＧＨｚとの間の中心周波数を有する搬送波と予め関連付けられる。１５ｋＨｚの副搬送波間隔に基づく候補のニューメロロジーは、０．６ＧＨｚと３ＧＨｚとの間の中心周波数を有する搬送波に予め関連付けられた候補ニューメロロジーのセット、及び３ＧＨｚと６ＧＨｚとの間の中心周波数を有する搬送波に予め関連付けられた候補ニューメロロジーのセットに共通である。同様に、３０ｋＨｚの副搬送波間隔に基づく候補のニューメロロジーは、３ＧＨｚと６ＧＨｚとの間の中心周波数を有する搬送波に予め関連付けられた候補ニューメロロジーのセット、及び６ＧＨｚと６０ＧＨｚとの間の中心周波数を有する搬送波に予め関連付けられた候補ニューメロロジーのセットに共通である。
【００２６】
【表３】
2019501558.tif 000005
【００２７】
テーブル４は、搬送波の中心周波数の２つの異なる範囲に関して候補ニューメロロジーを列挙する。この例では、３．７５ｋＨｚ、７．５ｋＨｚ、及び１５ｋＨｚの副搬送波間隔に基づく３つの候補ニューメロロジーのセットは、０．６ＧＨｚと３ＧＨｚとの間の中心周波数を有する搬送波と予め関連付けられ、１５ｋＨｚ、３０ｋＨｚ、及び６０ｋＨｚの副搬送波間隔に基づく３つの候補ニューメロロジーのセットは、３ＧＨｚと６ＧＨｚとの間の中心周波数を有する搬送波と予め関連付けられる。１５ｋＨｚの副搬送波間隔に基づく候補ニューメロロジーは、テーブル４に列挙されたそれぞれの搬送波範囲に予め関連付けられた候補ニューメロロジーの両方のセットに共通である。
【００２８】
【表４】
2019501558.tif 000006
【００２９】
テーブル１〜３に列挙されている搬送波の中心周波数範囲に予め関連付けられた候補ニューメロロジーの重複セットが実例として提供されるとともに、他の実施例では、これらの搬送波の中心周波数範囲に対して、又は他の搬送波の中心周波数範囲に対して、候補ニューメロロジーの異なる重複セットを使用することができる、ということが認識されるべきである。
【００３０】
図３は、ネットワークデバイスによって実行され得る、候補ニューメロロジーの重複セットを使用して搬送波を設定するための実施例の方法３００のフローチャートである。ステップ３１０において、ネットワークデバイスが、異なる搬送波と予め関連付けられている、２つ以上の重複しているニューメロロジーのセットからニューメロロジーを選択する。ニューメロロジーは、搬送波を介して通信されるデータのトラフィック特性、搬送波を介してデータを通信するために使用される送信モード（例えば、単一送信点（Ｔｒａｎｓｍｉｔ  Ｐｏｉｎｔ、ＴＰ）送信、マルチＴＰ送信）、搬送波を介して通信されるデータを搬送するために使用される無線リンクのチャネル特性、及び／又は搬送波を介してデータを通信するようにスケジュールされたＵＥの移動速度のような、１つ又は複数の基準に基づいて選択されることができる。ニューメロロジーを選択するために使用されるトラフィック特性は、トラフィックフローのサービスの質（Ｑｕａｌｉｔｙ  ｏｆ  Ｓｅｒｖｉｃｅ、ＱｏＳ）要件（例えば、待ち時間、パケットロス率）、トラフィックフローにおける平均パケットサイズ、トラフィックフローに関連付けられたトラフィックタイプ（例えば、高度化モバイルブロードバンド（Ｅｎｈａｎｃｅｄ  Ｍｏｂｉｌｅ  Ｂｒｏａｄｂａｎｄ、ｅＭＢＢ）トラフィック又は高信頼低遅延通信（Ｕｌｔｒａ−Ｒｅｌｉａｂｌｅ  Ｌｏｗ−Ｌａｔｅｎｃｙ  Ｃｏｍｍｕｎｉｃａｔｉｏｎ、ＵＲＬＬＣ））、及びトラフィックフロー内で搬送されるデータの量（例えば、ビットの数）のような、搬送波を介して通信されるトラフィックフローに関連付けられた任意の特性を含むことができる。ニューメロロジーを選択するために使用されるチャネル特性は、マルチパス遅延、経路損失、又は無線リンクのチャネルフェージング特性のような、搬送波を介してデータを搬送するために使用される無線リンクに関連付けられた任意の特性を含むことができる。
【００３１】
ステップ３２０において、ネットワークデバイスは、ニューメロロジーの第１セットからの選択されたニューメロロジーに従って第１の搬送波を介して、及びニューメロロジーの第２セットからの選択されたニューメロロジーに従って第２の搬送波を介して、同時に通信する。いくつかの実施例では、ネットワークデバイスは、基地局及び／又はＵＥなどの１つ又は複数のネットワークデバイスに１つ又は複数の命令を送信する。命令は、基地局及び／又はＵＥに、選択されたニューメロロジーに基づいて、搬送波を介して無線信号を送信又は受信するように指示する。ネットワークデバイスは、異なる搬送波を介してデータを送信又は受信するようにスケジュールされた基地局及び／又はＵＥに、異なる命令を送信することができる。その代わりに、ネットワークデバイスは、１つ若しくは複数の基地局及び／又はＵＥのそれぞれに、同じ命令を送信することができる。一実施例では、単一の基地局及び／又はＵＥが、複数の搬送波を介してデータを送信及び／又は受信するようにスケジュールされる。その実施例では、ネットワークデバイスは、同一の命令若しくは異なる命令を、単一の基地局及び／又はＵＥに通信することができる。
【００３２】
図４は、ネットワークデバイスによって実行され得る、２つの搬送波に対して重複するニューメロロジーを設定するための実施例の方法４００のフローチャートである。ステップ４１０において、ネットワークデバイスは、第１の搬送波に予め関連付けられたニューメロロジーの第１セットから第１のニューメロロジーを選択する。ステップ４２０において、ネットワークデバイスは、第２の搬送波に予め関連付けられたニューメロロジーの第２セットから第２のニューメロロジーを選択する。第１のニューメロロジー及び第２のニューメロロジーは、物理層パラメータの同じサブセットを互いに含む。ステップ４３０において、ネットワークデバイスは、第１のニューメロロジーに従って第１の搬送波を介して、及び第２のニューメロロジーに従って第２の搬送波を介して、同時に通信する。いくつかの実施例では、ネットワークデバイスは、同様に、１つ又は複数のＵＥに少なくとも１つの命令を送信する。少なくとも１つの命令は、１つ又は複数のＵＥに、第１のニューメロロジーに従って第１の搬送波を介して、及び第２のニューメロロジーに従って第２の搬送波を介して、無線信号を送信又は受信するように指示する。
【００３３】
２つ以上の重複しているニューメロロジーのセットは、第１の搬送波に予め関連付けられたニューメロロジーの第１セット、及び第２の搬送波に予め関連付けられたニューメロロジーの第２セットを含み得る。ニューメロロジーの第１セット及びニューメロロジーの第２セットは、第１の搬送波及び第２の搬送波の両方に関する物理層パラメータの同じサブセットを指定する、少なくとも１つの共通のニューメロロジーを含む。共通のニューメロロジーは、第１の搬送波及び第２の搬送波に関して、同じ副搬送波周波数間隔及びシンボル期間を指定することができる。共通のニューメロロジーは、第１の搬送波及び第２の搬送波を介して通信されるシンボルに関して、同じサイクリックプレフィックス（Ｃｙｃｌｉｃ  Ｐｒｅｆｉｘ、ＣＰ）長を更に指定することができる。いくつかの実施例では、共通のニューメロロジーは、第１の搬送波及び第２の搬送波に関して、同じＴＴＩを指定する。他の実施例では、共通のニューメロロジーは、搬送波に関してＴＴＩを指定せず、その場合、共通のニューメロロジーに従って搬送波を介して通信される信号は、異なるＴＴＩを有することができる。いくつかの実施例では、共通のニューメロロジーは、第１の搬送波及び第２の搬送波に関して、ＴＴＩ当たりのシンボル数を更に指定する。いくつかの実施例では、共通のニューメロロジーは、第１の搬送波及び第２の搬送波に関して、ＣＰオーバヘッドを更に指定する。いくつかの実施例では、第１の搬送波及び第２の搬送波に関して、共通のニューメロロジーが選択される。そのような実施例では、物理層パラメータの同じサブセットが、第１の搬送波及び第２の搬送波を介して信号を通信するために使用される。他の実施例では、第１の搬送波及び／又は第２の搬送波に関して、他のニューメロロジーが選択され、その場合、物理層パラメータの異なるセットが、それぞれの搬送波を介して信号を通信するために使用される。
【００３４】
いくつかの実施例では、２つ以上の重複しているニューメロロジーのセットは、第３の搬送波に予め関連付けられたニューメロロジーの第３セットを更に含むことができ、第２の搬送波の中心周波数は、第１の搬送波の中心周波数と第３の搬送波の中心周波数との中間にある。ニューメロロジーの第３セットは、ニューメロロジーの第２セットと重複することができ、その結果、別の共通のニューメロロジーが、ニューメロロジーの第２及び第３のセットの両方に含まれる。そのような実施例の実例が、テーブル２及びテーブル３に列挙される。
【００３５】
１つ又は複数のＵＥに送信される命令は、どの搬送波が選択されたかを識別するインジケータの他に、どのニューメロロジーが選択されたかを識別するインジケータを含み得る。どのニューメロロジーが選択されたかを識別するインジケータは、制御シグナリングメッセージ／パケット内の１つ又は複数のビットを含み得る。重複するニューメロロジーは、各対応する搬送波に関する共通のニューメロロジーを表すために同じ値が使用されることができるので、各搬送波に関する同等の数の候補ニューメロロジーを有する重複しないニューメロロジーよりも少ない数のビットによって表されることができる。
【００３６】
図５は、ホストデバイスにインストールされ得る、本明細書において説明された方法を実行するための実施例の処理システム５００のブロック図である。図示されているように、処理システム５００は、プロセッサ５０４、メモリ５０６、及びインタフェース５１０〜５１４を含み、これらは、図５において示されたように配置され得る（か、又は配置されなくてもよい）。プロセッサ５０４は、計算及び／又は他の処理に関連するタスクを実行するように構成された任意のコンポーネント若しくはコンポーネントの集合であり、メモリ５０６は、プロセッサ５０４による実行のためのプログラミング及び／又は命令を格納するように構成された任意のコンポーネント若しくはコンポーネントの集合であり得る。一実施例では、メモリ５０６は、非一時的なコンピュータ読み取り可能な媒体を含む。インタフェース５１０、５１２、５１４は、処理システム５００が他のデバイス／コンポーネント及び／又はユーザと通信することを可能にする任意のコンポーネント若しくはコンポーネントの集合であり得る。例えば、インタフェース５１０、５１２、５１４のうちの１つ又は複数は、プロセッサ５０４からホストデバイス及び／又はリモートデバイスにインストールされたアプリケーションに、データ、制御メッセージ、又は管理メッセージを通信するように構成され得る。別の例として、インタフェース５１０、５１２、５１４のうちの１つ又は複数は、ユーザ若しくはユーザデバイス（例えば、パーソナルコンピュータ（Ｐｅｒｓｏｎａｌ  Ｃｏｍｐｕｔｅｒ、ＰＣ）など）が処理システム５００と対話／通信することを可能にするように構成され得る。処理システム５００は、長期間記憶装置（例えば、不揮発性メモリなど）のような、図５において示されていない追加のコンポーネントを含み得る。
【００３７】
いくつかの実施例では、処理システム５００は、遠隔通信ネットワークにアクセスしているか、又はそうでなければ遠隔通信ネットワークの一部であるネットワークデバイスに含まれている。一例では、処理システム５００は、遠隔通信ネットワークにおける、基地局、中継局、スケジューラ、コントローラ、ゲートウェイ、ルータ、アプリケーションサーバ、又は他の任意のデバイスのような、無線遠隔通信ネットワーク又は有線遠隔通信ネットワークにおけるネットワーク側デバイス内にある。他の実施例では、処理システム５００は、遠隔通信ネットワークにアクセスするように構成された、移動局、ユーザ装置（Ｕｓｅｒ  Ｅｑｕｉｐｍｅｎｔ、ＵＥ）、パーソナルコンピュータ（Ｐｅｒｓｏｎａｌ  Ｃｏｍｐｕｔｅｒ、ＰＣ）、タブレット、ウェアラブル通信デバイス（例えば、スマートウォッチなど）、又は任意の他のデバイスのような、無線遠隔通信ネットワーク又は有線遠隔通信ネットワークにアクセスするユーザ側無線デバイス内にある。
【００３８】
いくつかの実施例では、インタフェース５１０、５１２、５１４のうちの１つ又は複数は、処理システム５００を、遠隔通信ネットワークを介してシグナリングを送信及び受信するように構成されたトランシーバに接続する。図６は、遠隔通信ネットワークを介してシグナリングを送受信するように構成されたトランシーバ６００のブロック図である。トランシーバ６００は、ホストデバイスにインストールされ得る。図示されるように、トランシーバ６００は、ネットワーク側インタフェース６０２、結合器６０４、送信機６０６、受信機６０８、信号プロセッサ６１０、及びデバイス側インタフェース６１２を備える。ネットワーク側インタフェース６０２は、無線若しくは有線の遠隔通信ネットワークを介してシグナリングを送信又は受信するように構成された任意のコンポーネント若しくはコンポーネントの集合を含み得る。結合器６０４は、ネットワーク側インタフェース６０２を介した双方向通信を容易にするように構成された任意のコンポーネント若しくはコンポーネントの集合を含み得る。送信機６０６は、ベースバンド信号を、ネットワーク側インタフェース６０２を介した送信に適した変調された搬送波信号に変換するように構成された任意のコンポーネント若しくはコンポーネントの集合（例えば、アップコンバータ、電力増幅器など）を含み得る。受信機６０８は、ネットワーク側インタフェース６０２を介して受信された搬送波信号をベースバンド信号に変換するように構成された任意のコンポーネント若しくはコンポーネントの集合（例えば、ダウンコンバータ、低雑音増幅器など）を含み得る。信号プロセッサ６１０は、ベースバンド信号を、（複数の）デバイス側インタフェース６１２を介した通信に適したデータ信号に変換するか、又はその逆も可能であるように構成された任意のコンポーネント若しくはコンポーネントの集合を含み得る。（複数の）デバイス側インタフェース６１２は、信号プロセッサ６１０とホストデバイス内のコンポーネント（例えば、処理システム５００、ローカルエリアネットワーク（Ｌｏｃａｌ  Ａｒｅａ  Ｎｅｔｗｏｒｋ、ＬＡＮ）ポートなど）との間でデータ信号を通信するように構成された任意のコンポーネント若しくはコンポーネントの集合を含み得る。
【００３９】
トランシーバ６００は、任意のタイプの通信媒体を介してシグナリングを送信及び受信することができる。いくつかの実施例では、トランシーバ６００は、無線媒体を介してシグナリングを送信及び受信する。例えば、トランシーバ６００は、セルラプロトコル（例えば、ロングタームエボリューション（Ｌｏｎｇ−Ｔｅｒｍ  Ｅｖｏｌｕｔｉｏｎ、ＬＴＥ）など）、無線ローカルエリアネットワーク（Ｗｉｒｅｌｅｓｓ  Ｌｏｃａｌ  Ａｒｅａ  Ｎｅｔｗｏｒｋ、ＷＬＡＮ）プロトコル（例えば、Ｗｉ−Ｆｉなど）、又は任意の他のタイプの無線プロトコル（例えば、ブルートゥース、近距離通信（Ｎｅａｒ  Ｆｉｅｌｄ  Ｃｏｍｍｕｎｉｃａｔｉｏｎ、ＮＦＣ）など）のような無線通信プロトコルに従って通信するように構成された無線トランシーバであり得る。そのような実施例では、ネットワーク側インタフェース６０２は、１つ又は複数のアンテナ／放射素子を備える。例えば、ネットワーク側インタフェース６０２は、単一のアンテナ、複数の別個のアンテナ、又はマルチレイヤ通信、例えば、単一入力複数出力（Ｓｉｎｇｌｅ  Ｉｎｐｕｔ  Ｍｕｌｔｉｐｌｅ  Ｏｕｔｐｕｔ、ＳＩＭＯ）、複数入力単一出力（Ｍｕｌｔｉｐｌｅ  Ｉｎｐｕｔ  Ｓｉｎｇｌｅ  Ｏｕｔｐｕｔ、ＭＩＳＯ）、複数入力複数出力（Ｍｕｌｔｉｐｌｅ  Ｉｎｐｕｔ  Ｍｕｌｔｉｐｌｅ  Ｏｕｔｐｕｔ、ＭＩＭＯ）など用に構成されたマルチアンテナアレイを含み得る。他の実施例では、トランシーバ５００は、有線媒体、例えば、ツイストペアケーブル、同軸ケーブル、光ファイバなどを介して、シグナリングを送信及び受信する。特定の処理システム及び／又はトランシーバは、示されたコンポーネントの全て、又はコンポーネントのサブセットのみを利用してもよく、統合レベルはデバイスごとに異なり得る。
【００４０】
本発明が例示的な実施例を参照して説明されたが、この説明は限定的な意味に解釈されることを意図しない。説明を参照することにより、本発明の他の実施例と同様に、例示的な実施例の様々な変形及び組み合わせが当業者には明らかになるであろう。したがって、添付の特許請求の範囲は、あらゆるそのような変形又は実施例を包含することが意図されている。
【図１】
2019501558.tif 000007
【図２】
2019501558.tif 000008
【図３】
2019501558.tif 000009
【図４】
2019501558.tif 000010
【図５】
2019501558.tif 000011
【図６】
2019501558.tif 000012
【手続補正書】
【提出日】平成30年5月11日(2018.5.11)
【手続補正１】
【補正対象書類名】特許請求の範囲
【補正対象項目名】全文
【補正方法】変更
【補正の内容】
【特許請求の範囲】
【請求項１】
無線通信のための方法であって、当該方法が、
第１の複数のニューメロロジーからのニューメロロジーに従って第１の搬送波を介して第１の信号を通信するステップと、
第２の複数のニューメロロジーからのニューメロロジーに従って第２の搬送波を介して第２の信号を通信するステップとを含み、
前記第１の複数のニューメロロジーが、第１のニューメロロジーを含み、前記第２の複数のニューメロロジーが、第２のニューメロロジーを含み、前記第１のニューメロロジー及び前記第２のニューメロロジーが、同じ副搬送波間隔を有し、
前記第２の複数のニューメロロジーが、前記第１の複数のニューメロロジーに含まれていない第３のニューメロロジーを含む、方法。
【請求項２】
前記同じ副搬送波間隔が、１５ｋＨｚである、請求項１に記載の方法。
【請求項３】
前記同じ副搬送波間隔が、３０ｋＨｚである、請求項１に記載の方法。
【請求項４】
前記第１のニューメロロジー及び前記第２のニューメロロジーが、同じニューメロロジーである、請求項１から請求項３のいずれかに記載の方法。
【請求項５】
前記同じ副搬送波間隔が、前記第１の複数のニューメロロジーからの１つの他のニューメロロジーの前記副搬送波間隔の２倍に等しく、かつ前記第２の複数のニューメロロジーからの１つの他のニューメロロジーの前記副搬送波間隔の半分に等しい、請求項１から請求項４のいずれかに記載の方法。
【請求項６】
プロセッサと、
前記プロセッサによる実行のためのプログラミングを記憶するコンピュータ読み取り可能な記憶媒体とを備えるネットワークデバイスであって、前記プログラミングが、
第１の複数のニューメロロジーからのニューメロロジーに従って第１の搬送波を介して第１の信号を通信し、
第２の複数のニューメロロジーからのニューメロロジーに従って第２の搬送波を介して第２の信号を通信するための命令を含み、
前記第１の複数のニューメロロジーが、第１のニューメロロジーを含み、前記第２の複数のニューメロロジーが、第２のニューメロロジーを含み、前記第１のニューメロロジー及び前記第２のニューメロロジーが、同じ副搬送波間隔を有し、
前記第２の複数のニューメロロジーが、前記第１の複数のニューメロロジーに含まれていない第３のニューメロロジーを含む、ネットワークデバイス。
【請求項７】
前記同じ副搬送波間隔が、１５ｋＨｚである、請求項６に記載のネットワークデバイス。
【請求項８】
前記同じ副搬送波間隔が、３０ｋＨｚである、請求項６に記載のネットワークデバイス。
【請求項９】
前記第１のニューメロロジー及び前記第２のニューメロロジーが、同じニューメロロジーである、請求項６から請求項８のいずれかに記載のネットワークデバイス。
【請求項１０】
前記同じ副搬送波間隔が、前記第１の複数のニューメロロジーからの１つの他のニューメロロジーの前記副搬送波間隔の２倍に等しく、かつ前記第２の複数のニューメロロジーからの１つの他のニューメロロジーの前記副搬送波間隔の半分に等しい、請求項６から請求項９のいずれかに記載のネットワークデバイス。
【請求項１１】
プロセッサと、
前記プロセッサによる実行のためのプログラミングを記憶するコンピュータ読み取り可能な記憶媒体とを備える無線デバイスであって、前記プログラミングが、
第１の複数のニューメロロジーからのニューメロロジーに従って第１の搬送波を介して第１の信号を通信するための命令を含み、
前記第１の複数のニューメロロジーが、第１の副搬送波間隔（ＳＣＳ）を有する第１のニューメロロジー及び第２のＳＣＳを有する第２のニューメロロジーを含み、前記第２のＳＣＳが、前記第１のＳＣＳの２倍であり、
前記第２のニューメロロジーが、第２の搬送波における送信のための第２の複数のニューメロロジーにおける１つのニューメロロジーであり、
前記第２の複数のニューメロロジーが、第３のＳＣＳを有する第３のニューメロロジーを含み、前記第３のＳＣＳが、前記第２のＳＣＳの２倍である、無線デバイス。
【請求項１２】
前記第２のＳＣＳが、１５ｋＨｚである、請求項１１に記載の無線デバイス。
【請求項１３】
前記第２のＳＣＳが、３０ｋＨｚである、請求項１１に記載の無線デバイス。
【請求項１４】
前記第２のＳＣＳが、前記第１の複数のニューメロロジーからの１つの他のニューメロロジーの前記ＳＣＳの２倍に等しく、かつ前記第２の複数のニューメロロジーからの１つの他のニューメロロジーの前記ＳＣＳの半分に等しい、請求項１１から請求項１３のいずれかに記載の無線デバイス。
【請求項１５】
無線通信のための方法であって、当該方法が、ネットワークデバイスによって、第１の搬送波に予め関連付けられたニューメロロジーの第１セットからニューメロロジーを選択し、第２の搬送波に予め関連付けされたニューメロロジーの第２セットからニューメロロジーを選択するステップであって、前記ニューメロロジーの第１セット及び前記ニューメロロジーの第２セットの両方における前記ニューメロロジーのうちの少なくとも１つが、前記第１の搬送波及び前記第２の搬送波を介して通信するための物理層パラメータの共通のサブセットを含む、ステップと、
前記ニューメロロジーの第１セットからの前記の選択されたニューメロロジーに従って前記第１の搬送波を介して第１の信号を通信し、前記ニューメロロジーの第２セットからの前記の選択されたニューメロロジーに従って前記第２の搬送波を介して第２の信号を通信するステップとを含む、方法。
【請求項１６】
プロセッサと、
前記プロセッサによる実行のためのプログラミングを記憶するコンピュータ読み取り可能な記憶媒体とを備えるネットワークデバイスであって、前記プログラミングが、
第１の搬送波に予め関連付けられたニューメロロジーの第１セットからニューメロロジーを選択し、第２の搬送波に予め関連付けされたニューメロロジーの第２セットからニューメロロジーを選択し、前記ニューメロロジーの第１セット及び前記ニューメロロジーの第２セットの両方における前記ニューメロロジーのうちの少なくとも１つが、前記第１の搬送波及び前記第２の搬送波を介して通信するための物理層パラメータの共通のサブセットを含み、
前記ニューメロロジーの第１セットからの前記の選択されたニューメロロジーに従って前記第１の搬送波を介して第１の信号を通信し、前記ニューメロロジーの第２セットからの前記の選択されたニューメロロジーに従って前記第２の搬送波を介して第２の信号を通信する、ための命令を含む、ネットワークデバイス。
【請求項１７】
無線通信のための方法であって、当該方法が、
ネットワークデバイスによって、第１の搬送波に予め関連付けられたニューメロロジーの第１セットから第１のニューメロロジーを選択するステップと、
第２の搬送波に予め関連付けられたニューメロロジーの第２セットから第２のニューメロロジーを選択するステップであって、前記第１のニューメロロジー及び前記第２のニューメロロジーの両方が物理層パラメータの共通のサブセットを含む、ステップと、
前記第１のニューメロロジーに従って前記第１の搬送波を介して第１の信号を通信し、前記第２のニューメロロジーに従って前記第２の搬送波を介して第２の信号を通信するステップとを含む、方法。
【請求項１８】
プロセッサと、
前記プロセッサによる実行のためのプログラミングを記憶するコンピュータ読み取り可能な記憶媒体とを備えるネットワークデバイスであって、前記プログラミングが、
第１の搬送波に予め関連付けられたニューメロロジーの第１セットから第１のニューメロロジーを選択し、
第２の搬送波に予め関連付けられたニューメロロジーの第２セットから第２のニューメロロジーを選択し、前記第１のニューメロロジー及び前記第２のニューメロロジーの両方が物理層パラメータの共通のサブセットを含み、
前記第１のニューメロロジーに従って前記第１の搬送波を介して第１の信号を通信し、前記第２のニューメロロジーに従って前記第２の搬送波を介して第２の信号を通信する、ための命令を含む、ネットワークデバイス。
【請求項１９】
無線通信のための方法であって、当該方法が、
ネットワークデバイスによって、第１の搬送波を介して、前記第１の搬送波に予め関連付けられたニューメロロジーの第１セットから選択された第１のニューメロロジーに従って第１の信号を通信するステップと、
前記ネットワークデバイスによって、第２の搬送波を介して、前記第２の搬送波に予め関連付けられたニューメロロジーの第２セットから選択された第２のニューメロロジーに従って第２の信号を通信するステップとを含み、
前記ニューメロロジーの第１セット及び前記ニューメロロジーの第２セットの両方における前記ニューメロロジーのうちの少なくとも１つが、前記第１の搬送波及び前記第２の搬送波を介して通信するための物理層パラメータの共通のサブセットを含む、方法。
【請求項２０】
プロセッサと、
前記プロセッサによる実行のためのプログラミングを記憶するコンピュータ読み取り可能な記憶媒体とを備えるネットワークデバイスであって、前記プログラミングが、
第１の搬送波を介して、前記第１の搬送波に予め関連付けられたニューメロロジーの第１セットから選択された第１のニューメロロジーに従って第１の信号を通信し、
第２の搬送波を介して、前記第２の搬送波に予め関連付けられたニューメロロジーの第２セットから選択された第２のニューメロロジーに従って第２の信号を通信するための命令を含み、
前記ニューメロロジーの第１セット及び前記ニューメロロジーの第２セットの両方における前記ニューメロロジーのうちの少なくとも１つが、前記第１の搬送波及び前記第２の搬送波を介して通信するための物理層パラメータの共通のサブセットを含む、ネットワークデバイス。
【請求項２１】
信号を送信するための方法であって、当該方法が、
第１の搬送波に予め関連付けられたニューメロロジーの第１セットからの第１のニューメロロジーに従って、前記第１の搬送波を介して信号を送信するステップを含み、
前記ニューメロロジーの第１セット及び第２の搬送波に予め関連付けされたニューメロロジーの第２セットの両方における前記ニューメロロジーのうちの少なくとも１つが、前記第１の搬送波及び前記第２の搬送波を介して通信するための物理層パラメータの共通のサブセットを含む、方法。
【請求項２２】
前記第１のニューメロロジーを示す命令を受信するステップを更に含む、請求項２１に記載の方法。
【請求項２３】
前記ニューメロロジーの第１セットから前記第１のニューメロロジーを選択するステップを更に含む、請求項２１に記載の方法。
【請求項２４】
前記共通のニューメロロジーが、前記第１の搬送波及び前記第２の搬送波の両方における副搬送波間の共通の副搬送波周波数間隔と、前記第１の搬送波及び前記第２の搬送波の両方におけるシンボルに関する共通のシンボル期間とを指定する、請求項２１から請求項２３のいずれかに記載の方法。
【請求項２５】
前記共通のニューメロロジーが、前記第１の搬送波及び前記第２の搬送波の両方におけるシンボルに関する共通のサイクリックプレフィックス（ＣＰ）長を更に指定する、請求項２４に記載の方法。
【請求項２６】
前記共通のニューメロロジーが、前記第１の搬送波及び前記第２の搬送波の両方に関する共通の送信時間間隔（ＴＴＩ）を更に指定する、請求項２４に記載の方法。
【請求項２７】
前記共通のニューメロロジーが、前記第１の搬送波及び前記第２の搬送波を介して通信するための送信時間間隔（ＴＴＩ）を指定しない、請求項２４に記載の方法。
【請求項２８】
前記第１の搬送波が、前記第２の搬送波とは異なる中心周波数を有する、請求項２１から請求項２７のいずれかに記載の方法。
【請求項２９】
プロセッサと、
前記プロセッサによる実行のためのプログラミングを記憶するコンピュータ読み取り可能な記憶媒体とを備えるネットワークデバイスであって、前記プログラミングが、
第１の搬送波を介して、前記第１の搬送波に予め関連付けられたニューメロロジーの第１セットからの第１のニューメロロジーに従って信号を送信するための命令を含み、
前記ニューメロロジーの第１セット及び第２の搬送波に予め関連付けされたニューメロロジーの第２セットの両方における前記ニューメロロジーのうちの少なくとも１つが、前記第１の搬送波及び前記第２の搬送波を介して通信するための物理層パラメータの共通のサブセットを含む、ネットワークデバイス。
【請求項３０】
前記共通のニューメロロジーが、前記第１の搬送波及び前記第２の搬送波の両方における副搬送波間の共通の副搬送波周波数間隔と、前記第１の搬送波及び前記第２の搬送波の両方におけるシンボルに関する共通のシンボル期間とを指定する、請求項２９に記載のネットワークデバイス。
【請求項３１】
前記共通のニューメロロジーが、前記第１の搬送波及び前記第２の搬送波の両方におけるシンボルに関する共通のサイクリックプレフィックス（ＣＰ）長を更に指定する、請求項３０に記載のネットワークデバイス。
【請求項３２】
前記共通のニューメロロジーが、前記第１の搬送波及び前記第２の搬送波の両方に関する共通の送信時間間隔（ＴＴＩ）を更に指定する、請求項３０に記載のネットワークデバイス。
【請求項３３】
前記共通のニューメロロジーが、前記第１の搬送波及び前記第２の搬送波を介して通信するための送信時間間隔（ＴＴＩ）を指定しない、請求項３０に記載のネットワークデバイス。
【請求項３４】
前記第１の搬送波が、前記第２の搬送波とは異なる中心周波数を有する、請求項２９から請求項３３のいずれかに記載のネットワークデバイス。
【手続補正２】
【補正対象書類名】明細書
【補正対象項目名】００３９
【補正方法】変更
【補正の内容】
【００３９】
トランシーバ６００は、任意のタイプの通信媒体を介してシグナリングを送信及び受信することができる。いくつかの実施例では、トランシーバ６００は、無線媒体を介してシグナリングを送信及び受信する。例えば、トランシーバ６００は、セルラプロトコル（例えば、ロングタームエボリューション（Ｌｏｎｇ−Ｔｅｒｍ  Ｅｖｏｌｕｔｉｏｎ、ＬＴＥ）など）、無線ローカルエリアネットワーク（Ｗｉｒｅｌｅｓｓ  Ｌｏｃａｌ  Ａｒｅａ  Ｎｅｔｗｏｒｋ、ＷＬＡＮ）プロトコル（例えば、Ｗｉ−Ｆｉなど）、又は任意の他のタイプの無線プロトコル（例えば、ブルートゥース、近距離通信（Ｎｅａｒ  Ｆｉｅｌｄ  Ｃｏｍｍｕｎｉｃａｔｉｏｎ、ＮＦＣ）など）のような無線通信プロトコルに従って通信するように構成された無線トランシーバであり得る。そのような実施例では、ネットワーク側インタフェース６０２は、１つ又は複数のアンテナ／放射素子を備える。例えば、ネットワーク側インタフェース６０２は、単一のアンテナ、複数の別個のアンテナ、又はマルチレイヤ通信、例えば、単一入力複数出力（Ｓｉｎｇｌｅ  Ｉｎｐｕｔ  Ｍｕｌｔｉｐｌｅ  Ｏｕｔｐｕｔ、ＳＩＭＯ）、複数入力単一出力（Ｍｕｌｔｉｐｌｅ  Ｉｎｐｕｔ  Ｓｉｎｇｌｅ  Ｏｕｔｐｕｔ、ＭＩＳＯ）、複数入力複数出力（Ｍｕｌｔｉｐｌｅ  Ｉｎｐｕｔ  Ｍｕｌｔｉｐｌｅ  Ｏｕｔｐｕｔ、ＭＩＭＯ）など用に構成されたマルチアンテナアレイを含み得る。他の実施例では、トランシーバ６００は、有線媒体、例えば、ツイストペアケーブル、同軸ケーブル、光ファイバなどを介して、シグナリングを送信及び受信する。特定の処理システム及び／又はトランシーバは、示されたコンポーネントの全て、又はコンポーネントのサブセットのみを利用してもよく、統合レベルはデバイスごとに異なり得る。
【国際調査報告】
2019501558.tif 000013
2019501558.tif 000014
2019501558.tif 000015
2019501558.tif 000016